(57)【要約】【課題】ＭＲＩに用いる被検者の頭部を支えるマットに埋め込んだマイクから被検者の音声をピックアップするものにおいて、被検者の状態によってＭＲＩの騒音がマイクに飛び込み、明瞭度が落ちるのを防止する必要がある。【解決手段】マイクをマットに内蔵し被検者の音声をマットのマイクからピックアップするようにしたＭＲＩの通話用１０ＨＺ位から１０ＫＨＺ位までをアットにおいて、マイクを囲繞するように弾性体からなる防音材を配置し、その防音材が被検者の重量で変形圧縮することによってマイクの周辺を密封し、ＭＲＩの騒音から防音材によってマイクを遮蔽するようにしたものである。【選択図】図１
2019084315.tif 000002
【特許請求の範囲】
【請求項１】
マイクを被検者の頭部を支持するマットに内蔵し被検者の音声をマットのマイクからピックアップするようにしたＭＲＩの通話用マットにおいて、マイクの周辺を囲繞するように弾性体からなる防音材を配置し、該防音材が被検者の重量で変形圧縮くすることによってマイクの周辺を音響的に密封し、ＭＲＩの騒音から前記防音材によってマイクを遮蔽するようにしたことを特徴とするＭＲＩ用通話装置
【請求項２】
防音材が異なる材料によりマイク周辺を二重に囲繞するようにしたことを特徴とする請求項１記載のＭＲＩ用通話装置
【請求項３】
マットに埋め込まれたマイクの先端が、被検者の重量で前記防音材が変形圧縮したときに被検者に接触するように構成されたことを特徴とする請求項１記載のＭＲＩ用通話装置
【発明の詳細な説明】
【発明の詳細な説明】
【技術分野】
【０００１】本発明は、ＭＲＩ装置（Ｍａｇｎｅｔｉｃ  Ｒｅｓｏｎａｎｃｅ  Ｉｍａｇｉｎｇ  ｓｙｓｔｅｍ磁気共鳴画像装置）の騒音環境下で診断を受ける被験者とＭＲＩ装置を操作する医師との間で片方向通話及び双方向通話を行う事が出来る装置においてマイク側の防音性能を高めることに関する。
【背景技術】
【０００２】近年、ＭＲＩ装置の診断性能が向上し高度な診断を行う高精細診断画像が得られるようになり多くの病院でＭＲＩ装置の導入が図られ医療分野における重要な装置とし毎日多くの患者（被験者）の診断などに使われている。【０００３】ＭＲＩ装置は周知のごとく高磁場を発生させて被験者の患部に磁場を照射させる事により細胞の変化を高精細な画像で検知診断する事が出来る進んだ装置である。【０００４】しかし高精細な画像を得る為には高磁場を発生させなくてはならない。この高磁場を発生させる為にはＭＲＩ装置のコイルに断続的に高電圧を加えて発生させる。【０００５】コイルに高電圧を断続的に与える事によりコイルに大きな電流が流れることにより同時に大きな騒音が発生する。【０００６】現在のＭＲＩ装置はコイルに断続的な大電流を加える方式でこの騒音を少なくする取り組みは種々行われているが、現時点で無くす事は困難である。【０００７】このようなＭＲＩの騒音環境下で被験者の診断を行わなくてはならず、通常の診断時間でも短くて１５分長くて３０分から４０分位の時間を必要とする。
この間、被験者は固定されて動くことができない上に騒音を我慢しなくてはならないためその苦痛は図り知れない。【０００８】ＭＲＩで診断中に被験者が受ける苦痛とは閉所恐怖症、心臓疾患、呼吸困難、騒音恐怖、等で被験者は恐怖等を感じたとしても、ＭＲＩの騒音下に置かれているため、医師にその症状を言葉で伝えることが困難である。【０００９】従来のＭＲＩ装置では、被験者が検査を継続できないような異状状態になった場合に手で非常ボタンを握って押す手段は従来からあるが、このような被験者がパニックになっているような非常時に押しボタンを押すことが出来る場合は極めて少く、被験者の意思に沿った対応ができない状況が継続してしまうことが有るため、その改善が求められていた。【００１０】又、従来のＭＲＩ装置室には検査人である医師から被験者へ音声で情報を伝える事が出来る手段として、ＭＲＩ室モニタースピーカーを設置することが提案されていたが、ＭＲＩ室モニタースピーカーの場合は、ＭＲＩ装置の診断が停止した状態では騒音レベルは低く静かで、被験者はＭＲＩ室モニタースピーカーにより医師の音声を聞くことが可能である。【００１１】しかし一旦ＭＲＩ装置が動作を開始する事によりＭＲＩの騒音レベルは大きくなり医師の指示が騒音にマスキングされて被験者はこれらのＭＲＩ室モニタースピーカーで医師の音声を聞く事が困難になってしまう問題が有った。【００１２】一方、ＭＲＩ装置の動作時には、医師は常時被験者の状態を把握する必要があり、被験者は体の状態が悪くなったり、何等かの理由により検査が継続できなくなった場合には、迅速に検査が継続できないことを医師に伝える事が必要で、尚且つ医師は被験者からの意思表示に基づいて適切な対応を迅速に行う事が出来る装置の要望が高まっている。
さらに被験者からの意思表示は一方的なものではなく、医師が被験者の状態を正確に把握できるためには音声通話により医師と被験者の間で双方向の会話ができることが望ましい。【００１３】上記のような状況を改善するため、出願人は先に光マイクを用いて被検者を固定するマットにマイクを埋め込み被検者の頚椎から音声を拾う発明を行い特許第６１１４９６３号として登録されている。
【先行技術文献】
【特許文献】
【００１４】
【特許文献１】特開２００４−８３５６号公報
【特許文献２】特開２００６−１８６４９９号公報
【特許文献３】特開２００７−８２９１４号公報
【００１５】
【発明の概要】
【発明が解決しようとする課題】
【００１６】本発明は上記した特許第６１１４９６３号において、ＭＲＩ動作中の高磁場環境及び騒音環境の中でも常時、医師と被験者とが通話が行なうことができるようにしたことによって、医師は診断中に被験者の異状状態を迅速に検知し把握することができ、必要に応じて装置の停止を行ったり又は被験者に対して音声により迅速に応答することを可能にしたが、被検者がマイクの位置から少しずれる等した場合に、わずかな隙間からマイクに飛び込むＭＲＩの騒音を拾ってしまうことが有り、被検者の音声に騒音が乗ってしまう場合が有って、聞きづらくなる現象が生じている。
そのため、被検者の状態にかかわらずどのような場合でもＭＲＩの作動状態における騒音を拾うことなく被検者の音声のみをピックアップできるようすることが求められている。
【課題を解決するための手段】
【００１７】請求項１の発明に係るＭＲＩ用通話装置においては、マイク１を被検者の頭部を支えるマット２に内蔵し被検者の音声をマット２に埋め込まれたマイク１からピックアップするようにしたＭＲＩの通話用マット２において、マイク１の周辺を囲繞するように弾性体からなる防音材３ａ、３ｂを配置し、該防音材３ａ、３ｂが被検者の重量で変形することによって被検者の頸部と防音材３ａ、３ｂによってマイクの周辺を密封し、ＭＲＩの騒音から前記防音材３ａ、３ｂによってマイク１を遮蔽するようにしたことを特徴とするＭＲＩ用通話装置である。【００１８】請求項２の発明に係るＭＲＩ通話装置においては、防音材３ａ、３ｂが異なる材料によりマイク周辺を二重に囲繞するようにしたことを特徴とする請求項１記載のＭＲＩ用通話装置である。【００１９】請求項３の発明に係るＭＲＩ通話装置においては、マットに埋め込まれたマイク１の先端１ａが、被検者の重量で前記防音材３ａ、３ｂが変形したときに被検者に接触するように構成されたことを特徴とする請求項１記載のＭＲＩ用通話装置である。
【発明の効果】
【００２０】請求項１の発明に係るＭＲＩ通話装置においては、被検者の頭部を支えるマット２に埋め込まれたマイク１の周囲にマイク１の周辺を囲繞するように弾性体からなる防音材３ａ、３ｂを配置し、被検者の重量で変形することによってマイク１周辺を密封するようにしたことによって、ＭＲＩの騒音からマイク１を遮断することができる効果が有る。【００２１】請求項２の発明においては、マイク１を囲繞する防音材３ａ、３ｂを異なる材料で二重に構成したことにより、防音する周波数帯を広げることがで、効果的にＭＲＩの騒音を遮蔽できるものである。【００２２】請求項３の発明に係るＭＲＩ通話装置においては、マイク１の構造が先の特許第６１１４９６３号に記載したように、被検者の頸部に当接することによって骨伝導及び軟骨伝導によって音声をピックアップするものであるから、マット２に埋め込まれたマイク１の先端１ａが、被検者の重量で前記防音材３ａ、３ｂが変形したときに被検者に接触するように構成されることによって被検者の音声を効果的にピックアップすることができるものである。【００２３】
【図面の簡単な説明】
【００２４】
【図１】本発明の頭部を支えるマットとその構造を示す図
【図２】本発明の使用状態を説明するための概略図
【図３】本発明の枕における信号伝達を説明するための図
【図４】本発明の騒音低減効果を示すための図
【発明を実施するための形態】
【００２５】以下、本発明の実施の形態を図に基づいて説明する。
【実施例】
【００２６】図１は本発明のＭＲＩ音声通話装置の基本となる騒音下で騒音を低減させて被験者の音声を医師へ伝える事ができるマイク１が埋め込まれたマット２の実施例を示したものである。【００２７】この実施例における、マイク１は、本出願人の先の登録特許第６１１４９６３号に記載したように、光マイクセンサーユニットで構成され、光マイクセンサーユニットは、先の特許に記載したように音響キャビティー内に光マイク１ｂを設け、被検者に接触する部分に接触振動板１ａを設けることによって、接触振動板１ａの振動を音響キャビティー１ｃを通して光マイク１ｂで音声をピックアップするようにしたものである。詳細は先の特許第６１１４９６３号に記載しており、本発明においてはマイク１がマット２に埋め込まれていれば足りるので詳細な説明を省略する。
また、マイク１及び被検者の頭部を支持するマット等の本発明のＭＲＩ用通話装置を構成する全ての部品は非磁性材料で構成されておりＭＲＩ画像へのノイズ影響を与えないようになっている。【００２８】図１は本発明のＭＲＩ用通話装置を示す図であり、（ａ）は平面図、（ｂ）はＡ−Ｂ断面図、（ｃ）はＣ−Ｄ断面図である。
マット２は傾斜部２ｂによって被検者の頸部を支える前部と頭部を支える後部から構成されており、後部２ａは前部から遠ざかるにつれて厚みが少なくなるようにテーパー状に構成され、被検者の後頭部を支えるように構成したものである。
マット２の全部は中央に被検者の頸部を支える逆台形状の窪みを有しており窪みの底部にはマイク１すなわち光マイクセンサーユニットが埋め込まれており、マイク１の周辺にはマイク１を囲繞するように防音材３ａ、３ｂが配置されており、被検者がマット２に頭部を載せたときに防音材３ａ、３ｂが被検者の重量で撓むことによって被検者の頸部がマイク１の先端すなわち先の特許に記載した接触振動板に当接するようにしたものである。【００２９】図２は被検者と本発明のマット２との関係を説明するための図で、模式的に示したものである。
図２（ａ）は被検者４がＭＲＩのベッドに寝た状態を横から見た図で、４ａは被検者の頭部、４ｂは被検者の頸部であり、５はＭＲＩのコイルを示している。
図２（ａ）から分かるように、被検者４がＭＲＩのベッドに仰向けに寝た状態において、頭部がマット２の後部２ａに支えられ、頸部は図２（ｂ）に示すようにマット２の両側の傾斜部２ｂによってガイドされ、被検者の頸部４ｂがマイク１と接触する位置にガイドされていて、音声をピックアップしやすい適正位置に来るように構成されている。【００３０】また、被検者４の頸部４ｂがマット２の傾斜部２ｂによってマイク１上部すなわち接触振動板１ａに当接する位置にガイドされるものである。
被検者４がＭＲＩのベッドに寝た場合、被検者の頭部４ａや頸部４ｂの重量によって防音材３ａ、３ｂを押し潰す状態になり、マイク１の周辺が防音材３ａ、３ｂによってマイクを音声的に遮蔽するものである。
したがって、マイク１は周囲から音声的に遮断されたことにより、ＭＲＩの騒音がマイク１に飛び込ことが無くなるもので、被検者の頸部の振動による被検者の音声信号のみをマイク１から創出することができるものである。【００３１】なお、図２において、１ｃは光マイク１ｂから音声によって光変調された信号を外部に導出するための光ファイバーである。
図３はマイク１の光マイクセンサー１ｂでピックアップした被検者の音声信号をＭＲＩを操作する人に音声として伝えるための経路を図示したもので、光ファイバー１ｃで導出された光信号は、磁気的に遮蔽されたＭＲＩの置かれている部屋から外部に導出され、光／電気変換装置６によって電気信号に変換され、音声アンプ７によって増幅されてスピーカー８によって音声として再生されるものである。【００３２】なお、実施例においては防音材を３ａ、３ｂの２つの部材で構成したが、１つの部材で構成することも、３つの部材以上で構成することもできることはもちろんである。【００３３】図４は本発明によってＭＲＩの騒音がマイク１に到達する度合いがどの程度低減されるかを疑似的に測定した周波数特性図で、９は防音材がない場合を示し、１０は本発明の防音材を設けた場合を示すものである。
実際のＭＲＩには磁性体が含まれることからＭＲＩを設置した場所に騒音計を持ち込むことができないので、図示していないが、音響箱を用いてスピーカーに信号発生器から信号を供給して、連続的に発振させる音源を用いて、１０ＨＺ位から１０ＫＨＺ位までをスイープさせ、防音材３ａ、３ｂを設けて被検者の頸部が来る側をオープンにした場合と閉鎖した場合の騒音を検出したものである。【００３４】
【産業上の利用可能性】
【００３５】本、発明はＭＲＩ装置等の高騒音下で被験者と検査人との間で交信が必要な場合に最適であり、ＭＲＩ等を製造する産業等に利用することができる。
【符号の説明】
【００３６】１    マイク
１ａ  接触振動板
１ｂ  光マイクセンサー
１ｃ  光ファイバー
２    マット
２ａ  マットの後部
２ｂ  マットの前部に形成された傾斜部
３ａ  防音材
３ｂ  防音材
４    被検者
４ａ  被検者の頭部
４ｂ  被検者の頸部
５    ＭＲＩの磁気コイル
６    光／電気信号変換器
７    音声アンプ
８    スピーカー
９    防音材がない場合の騒音の周波数特性
１０  防音材によって低減される騒音の周波数特性
【図１】
2019084315.tif 000003
【図２】
2019084315.tif 000004
【図３】
2019084315.tif 000005
【図４】
2019084315.tif 000006
【手続補正書】
【提出日】平成30年12月3日(2018.12.3)
【手続補正１】
【補正対象書類名】特許請求の範囲
【補正対象項目名】請求項１
【補正方法】変更
【補正の内容】
【請求項１】
マイクを被検者の頭部を支持するマットに内蔵し被検者の音声をマットのマイクからピックアップするようにしたＭＲＩの通話用マットにおいて、マイクの周辺を囲繞するように弾性体からなる防音材を配置し、該防音材が被検者の重量で変形圧縮することによってマイクの周辺を音響的に密封し、ＭＲＩの騒音から前記防音材によってマイクを遮蔽するようにしたことを特徴とするＭＲＩ用通話装置